(57)【特許請求の範囲】
【請求項１】
アンテナ（４）とＩＣモジュール（５）とを組み付けた状態でカード本体（１）内に配置した非接触式のＩＣカードにおいて、
カード本体（１）は、アンテナ（４）とＩＣモジュール（５）とが配置されたベースシート（３）の片側面を覆う第１表層（１ａ）と、ベースシート（３）の他面側を覆う第２表層（１ｂ）とで構成されており、
各表層（１ａ・１ｂ）が、２色成形法、或いは１次・２次の工程別成形で形成されて、ベースシート（３）がカード本体（１）内にインサート固定されており、
カード本体（１）の組成に、比重が４以上で比抵抗が４×１０-8Ω・ｍ以上である金属を含んでいることを特徴とする非接触式のＩＣカード。
【請求項２】
カード本体（１）の比重が、２ないし１２の範囲内から選択されており、
このカード本体（１）の比重になるように金属の含有率が設定される請求項１記載の非接触式のＩＣカード。
【請求項３】
カード本体（１）を組成する金属が、タングステンである請求項２記載の非接触式のＩＣカード。
【請求項４】
バインダーとしてカード本体（１）を組成する合成樹脂が、ポリアミド系樹脂である請求項３記載の非接触式のＩＣカード。
【請求項５】
カード本体（１）が、円形状に形成された請求項４記載の非接触式のＩＣカード。
【発明の詳細な説明】
【０００１】
【発明の属する技術分野】
本発明は、カード本体内にアンテナとＩＣモジュールとを配置した非接触式のＩＣカードに関する。
【０００２】
【従来の技術】
この種のＩＣカードにおいては、カード本体内のＩＣモジュールがアンテナを介して外部装置とデータの送受信を行うようになっている。かかるカード本体は、ポリ塩化ビニルやポリエチレンテレフタレートなどの合成樹脂で形成されているが、合成樹脂の比重が小さいためにカード本体が軽くなって、ＩＣカード全体としても軽くなっている。
【０００３】
【発明が解決しようとする課題】
従来のＩＣカードは軽くなっている分だけ重量感がない。従って、使用者が、上着やズボンのポケットなどにＩＣカードを入れていても、ＩＣカードに重量感がないためにＩＣカードの存在を忘れやすい。このため、上着やズボンを着替えるなどの際にＩＣカードの取り出しを忘れて、ＩＣカードを紛失してしまうおそれがある。この場合、カード本体に比重の大きな金属を添加してＩＣカードの重量を大きくすることが考えられるが、この金属の添加によってＩＣモジュールと外部装置との通信が妨げられないようにする必要があるところに問題がある。
【０００４】
またＩＣカードをペンダントのようにして首に掛けたい場合もあるが、ＩＣカードが軽量だと少しの風でも揺れ動いて、使用者にとって煩わしいことになる。
さらにＩＣカードをコイン状に形成し、遊園地での乗物などの搭乗料金の代わりにＩＣカードを使用したい場合もあるが、ＩＣカードが、コインと同程度の重量を有する方が、コインの代用としての価値観を使用者に与えることになる。
【０００５】
本発明の目的は、ＩＣカードに重量感を持たせながら、カード本体がＩＣモジュールと外部装置との通信の妨げにならない非接触式のＩＣカードを提供することにある。本発明の他の目的は、ＩＣカードにコインとしての価値観を与えることにある。
【０００６】
【課題を解決するための手段】
本発明が対象とする非接触式のＩＣカードは、アンテナ４とＩＣモジュール５とを組み付けた状態でカード本体１内に配置される。カード本体１は、アンテナ４とＩＣモジュール５とが配置されたベースシート３の片側面を覆う第１表層１ａと、ベースシート３の他面側を覆う第２表層１ｂとで構成されている。各表層１ａ・１ｂが、２色成形法、或いは１次・２次の工程別成形で形成されて、ベースシート３がカード本体１内にインサート固定されている。本発明は、カード本体１の組成に、比重が４以上で比抵抗が４×１０-8Ω・ｍ以上である金属を含んでいる。ここでの金属は、単体の金属であってもよいが、合金や金属酸化物などであってもよい。カード本体１は複数種類の金属を含むものでもよい。また金属はガラス繊維などの無機材料を含む概念である。ＩＣカードは、各種の用途に使用可能である。例えば、貨物の種類や行き先などのデータを記憶させて、貨車にタグとして添付することができる。また、使用者のデータを記憶させて、名札などとして使用者の上着などに取り付けることができる。さらに、ＩＣカードに識別用のコードなどを記憶させて、自動車のキーの代りに使用することも可能である。
【０００７】
具体的に説明すると、カード本体１の比重は、用途や利用者の嗜好などに合わせて２ないし１２の範囲内から選択されており、このカード本体１の比重になるように金属の含有率が設定されている。またカード本体１を組成する金属は、タングステンであるものとすることができる。バインダーとしてカード本体１を組成する合成樹脂は、ポリアミド系樹脂であるものとすることができる。このうえで、カード本体１は、円形状に形成することができる。
【０００８】
【発明の作用効果】
本発明の非接触式のＩＣカードによれば、カード本体１の組成に比重が４以上の金属を含んでいるので、カード本体１の比重が大きくなってＩＣカードに重量感を持たせることができる。従って、使用者が、上着やズボンのポケットなどにＩＣカードを入れていても、ＩＣカードの重量感によってＩＣカードの存在を確認できてＩＣカードの紛失を低減できる。またＩＣカードをペンダントのようにして首に掛けた場合でも、ＩＣカードの重量によって、風などで揺れ動くことが低減され、ＩＣカードに対して安定感を得ることができる。
【０００９】
このうえで、カード本体１を組成する金属の比抵抗が４×１０-8Ω・ｍ以上であるので、カード本体１の抵抗値が高くなって、カード本体１が高い電波透過性を有することになる。従って、カード本体１がＩＣモジュール５と外部装置との通信の妨げにならない。
【００１０】
カード本体１を組成する金属がタングステンであると、比重が１９であるうえに比抵抗が5.５×１０-8Ω・ｍ程度であるために、ＩＣカードに十分な重量感を持たせることができるうえ、カード本体１は十分に高い電波透過性を有することになる。しかもタングステンは、耐熱性および耐衝撃性に優れているため、カード本体１が高い耐熱性および耐衝撃性を有することになる。
【００１１】
カード本体１を組成するバインダーとしての合成樹脂がポリアミド系樹脂であると、カード本体１を射出成形する際における成形空間内への溶解樹脂の分散性が向上して、カード本体１の歩留まりが向上する。
【００１２】
カード本体１を円形状に形成してあると、ＩＣカードを遊園地での乗物などの搭乗料金の代わりとして使用したい場合に、ＩＣカードをコインと同程度の重量にすることで、ＩＣカードにコインと同等の価値観を与えることができる。
【００１３】
【発明の実施の形態】
図１および図２は本発明に係る非接触式のＩＣカードの実施例を示す。ＩＣカードは、図１に示すごとく、例えば円形状に形成されており、絶縁性を有するプラスチックシート、あるいは紙などで形成したベースシート３をカード本体１内に配置している。ベースシート３の片面にはアンテナ４を配置しており、さらにアンテナ４で囲まれる領域内にＩＣモジュール５を固定している。そして、カード本体１内のＩＣモジュール５が、アンテナ４を介して外部装置（図示せず）と種々のデータの送受信を行うようになっている。
【００１４】
ベースシート３の径は、カード本体１のそれよりも小さく設定している。アンテナ４は、例えば、導電性のインクを用いてベースシート３上に印刷形成し、あるいはフォトグラフィー法によって形成している。またアンテナ４は、細い被膜銅線をループ状に巻いたものや、エッチングパターン、印刷パターンにて形成することができる。ＩＣモジュール５はベースシート３に接着固定しており、その入出端子とアンテナ４とをボンディングワイヤか溶接又は導電性接着剤で接続固定する。またＩＣモジュール５は、ベースシート３に貼り付ける以外に、その外面を覆う別のシートを用意し、このシートをベースシート３に接着ないしは融着して固定することができる。必要があれば、アンテナ４とＩＣモジュール５とはベースシート３の表裏に分離配置することができる。
【００１５】
カード本体１は、図２に示すごとくベースシート３の片面側を覆う第１表層１ａと、他面側を覆う第２表層１ｂとで構成されており、各表層１ａ・１ｂは、例えば２色成形法や１次・２次の工程別成形を利用して形成される。カード本体１の組成には、ＩＣカードに重量感を持たせるために比重が４以上の重金属を含んでいる。この重金属は、カード本体１が比較的高い電波透過性を有するように、比抵抗が４×１０-8Ω・ｍ以上のものが選択される。
【００１６】
そして、ＩＣカードは、用途や利用者の嗜好などに合わせて２ないし１２程度の範囲から選択された比重になるようにしており、このＩＣカードの比重に合わせて前記重金属の含有率が設定される。カード本体１に含まれる重金属の種類としては、比重および比抵抗の点に加えて耐熱性および耐衝撃性の点からタングステンが特に好ましい。カード本体１を組成するバインダーの種類としては、射出成形に適する合成樹脂の種類の中から選択されるが、射出成形の際における成形空間内への溶解樹脂の分散性などの点からポリアミド系樹脂（ナイロン）が特に好ましい。
【００１７】
（試験結果）
直径２６mmで最大厚み２７０μｍのベースシート３に、１3.５６ＭＨｚ用のアンテナ４およびＩＣモジュール５を取り付ける。アンテナ４としては、外部装置（ハンディーＲ／Ｗ装置）での読み取り距離の異なる３種類（４mm用アンテナＡ・１５mm用アンテナＢ・４０mm用アンテナＣ）を使用し、各アンテナＡ・Ｂ・Ｃについて測定する。カード本体１は、バインダーとしてナイロン系の樹脂を用いるとともにタングステンを７４wt％含有することで、カード本体１の比重が６になるようにしている。
【００１８】
そして、前記ベースシート３を、８９mm×５０mm×2.２mmの２枚の表層１ａ・１ｂ間に挟み込むことでカード本体１内に配置し、表１に示すごとく各アンテナＡ・Ｂ・Ｃについてそれぞれ１０個ずつ、外部装置での読み取り可能な最大距離を測定する。また、比較として、表２に示すごとくカード本体１のない、ベースシート３のみの状態の各アンテナＡ・Ｂ・Ｃについてそれぞれ１０個ずつ、外部装置での読み取り可能な最大距離を測定する。
【００１９】
【表１】
0004564136.tif 000002
【００２０】
【表２】
0004564136.tif 000003
【００２１】
このように、ベースシート３をカード本体１内に配置しても、ベースシート３をカード本体１内に配置していない場合とほぼ同様の測定結果を得ることができる。つまり、カード本体１は、タングステンを含むことで十分な重量感（ここでは比重が６となる）を持ちながら、外部装置との通信の妨げにならない十分な電波透過性を有することになる。
【００２２】
タングステンは、例えば微細粒状やウィスカー状に形成されてバインダーと混合している。カード本体１の形状は、円形状に限られず、例えば図３に示すごとく四角形でもよく、さらに楕円状や三角形状など種々の形状が選択可能である。
またカード本体１をペンダントのように首に掛けれるようにしてもよく、カード本体１を腕時計のようにベルトによって腕に取り付けれるようにしてもよい。
【図面の簡単な説明】
【図１】ＩＣカードの一部破断平面図である。
【図２】ＩＣカードの断面図である。
【図３】ＩＣカードの他の実施例を示す一部破断平面図である。
【符号の説明】
１  カード本体
３  ベースシート
４  アンテナ
５  ＩＣモジュール
【図１】
0004564136.tif 000004
【図２】
0004564136.tif 000005
【図３】
0004564136.tif 000006